(57)【特許請求の範囲】
【請求項１】
道路や鉄道等軌道の境界に設置される透光性パネルの取付方法であって、
下方に向けて開口する上溝が形成された上横枠と、上方に向けて開口する下溝が形成された下横枠とに、透光板を取り付けるものであり、前記透光板の上端部を前記上横枠に取り付ける上側取付工程と、前記透光板の下端部を前記下横枠に取り付ける下側取付工程とを備え、
前記上側取付工程では、前記透光板の上端部より下端部が、奥行方向で路側となる正面側に突出するものとなるように、前記透光板を奥行方向に傾斜させながら、前記透光板の上端部を前記上溝に挿入することで前記上横枠に取り付けて、
前記下側取付工程では、前記透光板の上端部を前記上溝に挿入したまま、奥行方向の背面側に前記透光板の下端部を移動させてから、前記透光板の下端部を前記下溝に落とし込むことで前記下横枠に取り付けること
を特徴とする透光性パネルの取付方法。
【請求項２】
前記下側取付工程では、前記透光板の下端部を前記下溝に落とし込んでから、前記透光板の左端部及び右端部の何れか一方又は両方を、左縦枠及び右縦枠の何れか一方又は両方の支持枠に、押縁で取り付けるものであり、前記透光板と前記押縁との間にシール材を設けること
を特徴とする請求項１に記載の透光性パネルの取付方法。
【請求項３】
前記下側取付工程では、前記透光板の下端部を前記下溝に落とし込んでから、前記透光板の左端部及び右端部の何れか一方又は両方を、左縦枠及び右縦枠の何れか一方又は両方の支持枠に、路側に配置される外側フランジと、前記透光板側に配置される内側フランジとを有する押縁で取り付けるものであり、前記押縁を取り付けるためのビスを用いることなく、前記外側フランジの側端に形成された外側突出部を、前記支持枠の路側に形成された外側係止部に係止させてから、前記内側フランジの側端に形成された内側突出部を、前記支持枠の前記透光板側に形成された内側係止部に係止させること
を特徴とする請求項１又は２に記載の透光性パネルの取付方法。
【請求項４】
前記上側取付工程では、前記下溝に設けられた緩衝ブロックまでの前記下溝の溝深さより、前記上溝の溝深さを大きくした前記上横枠に、前記透光板の上端部を取り付けて、
前記下側取付工程では、前記透光板の下端部を前記下溝に落とし込むことで、前記透光板の下端面を前記緩衝ブロックに当接させること
を特徴とする請求項１〜３何れか１項に記載の透光性パネルの取付方法。
【請求項５】
前記上側取付工程では、前記透光板の上端部の背面側で、前記上溝に緩衝材を設けることで、前記透光板の背面側に前記緩衝材が当接されて、
前記下側取付工程では、前記透光板の上端部の正面側で、前記上溝にシール材を設けることで、前記透光板の正面側に前記シール材が接着されること
を特徴とする請求項１〜４の何れか１項に記載の透光性パネルの取付方法。
【請求項６】
道路や鉄道等軌道の境界に設置される透光性パネルの取外方法であって、
下方に向けて開口する上溝が形成された上横枠と、上方に向けて開口する下溝が形成された下横枠とから、透光板を取り外すものであり、前記透光板の下端部を前記下横枠から取り外す下側取外工程と、前記透光板の上端部を前記上横枠から取り外す上側取外工程とを備え、
前記下側取外工程では、前記透光板の上端部を前記上溝に挿入したまま、前記透光板を上方に持ち上げて、奥行方向の路側となる正面側に前記透光板の下端部を移動させることで前記下横枠から取り外して、
前記上側取外工程では、前記透光板の上端部より下端部が奥行方向で正面側に突出するものとなるように、前記透光板を奥行方向に傾斜させながら、前記透光板の上端部を前記上溝から引き抜くことで前記上横枠から取り外すこと
を特徴とする透光性パネルの取外方法。
【請求項７】
前記上横枠は、前記透光板の正面側に突出する正面側突出長を、前記透光板の背面側に突出する背面側突出長より小さくして、前記上溝で前記透光板の正面側に接着されたシール材を切除して、前記上側取外工程では、前記透光板の上端部より下端部が、奥行方向で正面側のみに突出するものとなるように、前記透光板を奥行方向に傾斜させること
を特徴とする請求項６に記載の透光性パネルの取外方法。
【請求項８】
道路や鉄道等軌道の境界に設置される透光性パネルであって、
下方に向けて開口する上溝が形成された上横枠と、上方に向けて開口する下溝が形成された下横枠と、前記上横枠及び前記下横枠に取り付けられる透光板とを備え、
前記上横枠は、前記透光板の路側となる正面側に突出する正面側突出長を、前記透光板の背面側に突出する背面側突出長より小さくして、
前記透光板は、前記上溝に設けられた緩衝材が、前記透光板の上端部の背面側に当接されるとともに、前記上溝に設けられたシール材が、前記透光板の上端部の正面側に接着されることで、前記上溝で前記シール材を切除して、前記透光板の上端部を前記上横枠から取り外すときに、前記透光板の上端部より下端部が、奥行方向で正面側のみに突出して、前記透光板が奥行方向に傾斜するものとなること
を特徴とする透光性パネル。
【発明の詳細な説明】
【技術分野】
【０００１】
本発明は、道路や鉄道等軌道の境界に設置される透光性パネルの取付方法、取外方法及び透光性パネルに関する。
【背景技術】
【０００２】
従来から、パネル本体を交換する作業の簡素化を図りながらも、パネル本体の板厚が異なる場合において、パネル本体を交換することができるものとするため、特許文献１に開示されるパネル装置が提案されている。
【０００３】
特許文献１に開示されたパネル装置は、パネル本体と、そのパネル本体を保持しかつ道路の側部に沿って間隔を隔てて立設される複数の支柱の夫々に固定される枠体とが設けられたパネル装置であって、前記枠体における路側部分に押縁部材が着脱自在に取り付けられ、前記枠体に前記押縁部材が取り付けられた状態において、前記パネル本体の周縁部を挿入する溝部が前記枠体に形成され、前記パネル本体の周縁部と前記溝部における路側の側部との間にコーキング材が充填されかつ、前記パネル本体の周縁部と前記溝部における路側とは反対側の側部との間にガスケット材を介在させてある。
【先行技術文献】
【特許文献】
【０００４】
【特許文献１】特開２００９−７４２７４号公報
【発明の概要】
【発明が解決しようとする課題】
【０００５】
しかし、特許文献１に開示されたパネル装置は、上下左右の枠体に押縁部材を固定するためにビスを必要とするものであるため、パネル本体を押縁部材で固定して枠体に取り付けるときの押縁部材の組付作業時に、多数のビスの締込作業が必要となることから、パネル装置の製造作業に多大な労力、施工時間が必要となるという問題点があった。
【０００６】
また、特許文献１に開示されたパネル装置は、破損したパネル本体を交換するときの押縁部材の交換作業時にも、多数のビスの取外作業と締込作業とが必要となるため、道路境界に設置されたパネル本体が飛び石等で部分的に破損した場合に、パネル本体の交換作業に多大な労力、施工時間が必要となり、高速道路等の長時間の通行規制が必要となるおそれがあった。
【０００７】
そこで、本発明は、上述した問題点に鑑みて案出されたものであり、その目的とするところは、透光性パネルの製造効率を向上させるとともに、透光性パネルの製造作業及び交換作業に必要となる労力、施工時間を低減させることのできる透光性パネルの取付方法、取外方法及び透光性パネルを提供することにある。
【課題を解決するための手段】
【０００８】
第１発明に係る透光性パネルの取付方法は、道路や鉄道等軌道の境界に設置される透光性パネルの取付方法であって、下方に向けて開口する上溝が形成された上横枠と、上方に向けて開口する下溝が形成された下横枠とに、透光板を取り付けるものであり、前記透光板の上端部を前記上横枠に取り付ける上側取付工程と、前記透光板の下端部を前記下横枠に取り付ける下側取付工程とを備え、前記上側取付工程では、前記透光板の上端部より下端部が、奥行方向で路側となる正面側に突出するものとなるように、前記透光板を奥行方向に傾斜させながら、前記透光板の上端部を前記上溝に挿入することで前記上横枠に取り付けて、前記下側取付工程では、前記透光板の上端部を前記上溝に挿入したまま、奥行方向の背面側に前記透光板の下端部を移動させてから、前記透光板の下端部を前記下溝に落とし込むことで前記下横枠に取り付けることを特徴とする。
【０００９】
第２発明に係る透光性パネルの取付方法は、第１発明において、前記下側取付工程では、前記透光板の下端部を前記下溝に落とし込んでから、前記透光板の左端部及び右端部の何れか一方又は両方を、左縦枠及び右縦枠の何れか一方又は両方の支持枠に、押縁で取り付けるものであり、前記透光板と前記押縁との間にシール材を設けることを特徴とする。
【００１０】
第３発明に係る透光性パネルの取付方法は、第１発明又は第２発明において、前記下側取付工程では、前記透光板の下端部を前記下溝に落とし込んでから、前記透光板の左端部及び右端部の何れか一方又は両方を、左縦枠及び右縦枠の何れか一方又は両方の支持枠に、路側に配置される外側フランジと、前記透光板側に配置される内側フランジとを有する押縁で取り付けるものであり、前記押縁を取り付けるためのビスを用いることなく、前記外側フランジの側端に形成された外側突出部を、前記支持枠の路側に形成された外側係止部に係止させてから、前記内側フランジの側端に形成された内側突出部を、前記支持枠の前記透光板側に形成された内側係止部に係止させることを特徴とする。
【００１１】
第４発明に係る透光性パネルの取付方法は、第１発明〜第３発明の何れかにおいて、前記上側取付工程では、前記下溝に設けられた緩衝ブロックまでの前記下溝の溝深さより、前記上溝の溝深さを大きくした前記上横枠に、前記透光板の上端部を取り付けて、前記下側取付工程では、前記透光板の下端部を前記下溝に落とし込むことで、前記透光板の下端面を前記緩衝ブロックに当接させることを特徴とする。
【００１２】
第５発明に係る透光性パネルの取付方法は、第１発明〜第４発明の何れかにおいて、前記上側取付工程では、前記透光板の上端部の背面側で、前記上溝に緩衝材を設けることで、前記透光板の背面側に前記緩衝材が当接されて、前記下側取付工程では、前記透光板の上端部の正面側で、前記上溝にシール材を設けることで、前記透光板の正面側に前記シール材が接着されることを特徴とする。
【００１３】
第６発明に係る透光性パネルの取外方法は、道路や鉄道等軌道の境界に設置される透光性パネルの取外方法であって、下方に向けて開口する上溝が形成された上横枠と、上方に向けて開口する下溝が形成された下横枠とから、透光板を取り外すものであり、前記透光板の下端部を前記下横枠から取り外す下側取外工程と、前記透光板の上端部を前記上横枠から取り外す上側取外工程とを備え、前記下側取外工程では、前記透光板の上端部を前記上溝に挿入したまま、前記透光板を上方に持ち上げて、奥行方向の路側となる正面側に前記透光板の下端部を移動させることで前記下横枠から取り外して、前記上側取外工程では、前記透光板の上端部より下端部が奥行方向で正面側に突出するものとなるように、前記透光板を奥行方向に傾斜させながら、前記透光板の上端部を前記上溝から引き抜くことで前記上横枠から取り外すことを特徴とする。
【００１４】
第７発明に係る透光性パネルの取外方法は、第６発明において、前記上横枠は、前記透光板の正面側に突出する正面側突出長を、前記透光板の背面側に突出する背面側突出長より小さくして、前記上溝で前記透光板の正面側に接着されたシール材を切除して、前記上側取外工程では、前記透光板の上端部より下端部が、奥行方向で正面側のみに突出するものとなるように、前記透光板を奥行方向に傾斜させることを特徴とする。
【００１５】
第８発明に係る透光性パネルは、道路や鉄道等軌道の境界に設置される透光性パネルであって、下方に向けて開口する上溝が形成された上横枠と、上方に向けて開口する下溝が形成された下横枠と、前記上横枠及び前記下横枠に取り付けられる透光板とを備え、前記上横枠は、前記透光板の路側となる正面側に突出する正面側突出長を、前記透光板の背面側に突出する背面側突出長より小さくして、前記透光板は、前記上溝に設けられた緩衝材が、前記透光板の上端部の背面側に当接されるとともに、前記上溝に設けられたシール材が、前記透光板の上端部の正面側に接着されることで、前記上溝で前記シール材を切除して、前記透光板の上端部を前記上横枠から取り外すときに、前記透光板の上端部より下端部が、奥行方向で正面側のみに突出して、前記透光板が奥行方向に傾斜するものとなることを特徴とする。
【発明の効果】
【００１６】
第１発明〜第５発明によれば、透光板の上端部を上横枠の上溝に挿入することで、透光板の上端部が上横枠に取り付けられるとともに、透光板の下端部を下横枠の下溝に落とし込むことで、透光板の下端部が下横枠に取り付けられるため、透光板の上端部及び下端部を、上横枠及び下横枠に固定するためのビスを用いることなく、透光板の取付作業を容易に実施することが可能となる。
【００１７】
特に、第２発明、第３発明によれば、透光板の上端部及び下端部が、ビスを用いることなく、上横枠及び下横枠に固定されるとともに、透光板の左端部及び右端部が、ビスを用いることなく、左縦枠及び右縦枠に固定されることで、上横枠、下横枠、左縦枠及び右縦枠に、透光板を取り付けるための全ての箇所で、ビスが用いられないものとなり、透光板の取付作業時にビスの締込作業を必要としないものとして、透光性パネルの製造効率を向上させることが可能となる。
【００１８】
特に、第２発明、第３発明によれば、左縦枠と右縦枠との間で、中縦枠が配置されることで、透光板の左端部及び右端部の何れか一方のみが、左縦枠又は右縦枠に取り付けられて、透光板の左端部及び右端部の何れか他方が、押縁を設けることなく中縦枠に取り付けられるものとなり、支持枠への押縁の取付箇所をも半減させることで、透光性パネルの製造効率を一段と向上させることが可能となる。
【００１９】
特に、第４発明によれば、下横枠の下溝に設けられた緩衝ブロックまでの下溝の溝深さより、上溝の溝深さを大きくして上横枠が形成されることで、透光板の下端部を下溝に挿入したまま、透光板の上端部で所定の挿入長を確保したものとなり、透光板の上端部及び下端部を上横枠及び下横枠に確実に固定すると同時に、透光板の下端面を緩衝ブロックに当接させて、透光板の下端部を下溝に落とし込むときの衝撃を緩衝ブロックで吸収することで、透光板の破損等を防止することが可能となる。
【００２０】
特に、第５発明によれば、透光板の上端部及び下端部に、背面側から緩衝材が当接されるため、透光板に対する背面側からのシール材の接着作業を必要としないものとしながら、正面側からシール材が透光板に接着されるため、透光板の正面側のみでシール材の接着作業を実施することができるものとして、透光板の取付作業を路側となる正面側のみから容易に実施することが可能となる。
【００２１】
第６発明によれば、透光板を持ち上げることで、透光板の下端部が下横枠から取り外されるとともに、透光板の上端部を上横枠の上溝から引き抜くことで、透光板の上端部が上横枠から取り外されるため、透光板の上端部及び下端部でのビスの取外作業を必要としないものとなり、透光板の取外作業を容易に実施することが可能となる。
【００２２】
第７発明によれば、上横枠及び下横枠において、正面側突出長を背面側突出長より小さくしたものとなるため、透光板の正面側で上溝及び下溝にカッター等を挿入しやすくして、透光板の正面側でのシール材の切除作業を容易に実施することが可能となる。
【００２３】
第６発明、第７発明によれば、透光板の正面側でのシール材の切除作業を容易に実施しながら、透光板の上端部を上溝に挿入したまま、奥行方向の正面側のみに透光板の下端部が回転移動するため、透光板の上端部より下端部が、奥行方向で正面側のみに突出するものとなり、部分的に破損した透光板の交換作業を実施するときに、部分的に破損した透光板の破片等を、上横枠及び下横枠より民地側となる背面側に落下させずに、交換作業を実施する正面側のみに落下させるものとすることで、透光板の交換作業を安全に実施することが可能となる。
【００２４】
第８発明によれば、透光板に背面側から緩衝材が当接されることで、透光板の背面側での緩衝材の切除作業を必要としないものとしながら、上横枠及び下横枠において、正面側突出長が背面側突出長より小さくされることで、透光板の正面側で上溝及び下溝にカッター等を挿入しやすくして、透光板の正面側でのシール材の切除作業を容易に実施することが可能となる。
【００２５】
第８発明によれば、透光板の正面側でのシール材の切除作業を容易に実施しながら、透光板の上端部を上横枠から取り外すときに、透光板の上端部を上溝に挿入したまま、透光板の上端部を回転軸として、奥行方向の正面側のみに透光板の下端部が回転移動するため、部分的に破損した透光板の交換作業を実施するときに、部分的に破損した透光板の破片等を、上横枠及び下横枠より民地側となる背面側に落下させずに、交換作業を実施する正面側のみに落下させるものとして、透光板の交換作業を安全に実施することが可能となる。
【図面の簡単な説明】
【００２６】
【図１】本発明を適用した透光性パネルを使用した透光性遮音壁の全体斜視図である。
【図２】本発明を適用した透光性パネルを示す斜視図である。
【図３】本発明を適用した透光性パネルを示す正面図である。
【図４】本発明を適用した透光性パネルを示す側面図である。
【図５】本発明を適用した透光性パネルを示す平面図である。
【図６】本発明を適用した透光性パネルの上横枠を示す拡大側面図である。
【図７】本発明を適用した透光性パネルの下横枠を示す拡大側面図である。
【図８】本発明を適用した透光性パネルに配置された中縦枠を示す平面図である。
【図９】本発明を適用した透光性パネルの押縁を示す斜視図である。
【図１０】本発明を適用した透光性パネルの支持枠を示す平面図である。
【図１１】本発明を適用した透光性パネルの押縁を示す拡大平面図である。
【図１２】本発明を適用した透光性パネルの取付方法の上側取付工程を示す側面図である。
【図１３】本発明を適用した透光性パネルの取付方法の下側取付工程を示す側面図である。
【図１４】本発明を適用した透光性パネルの取付方法の下側取付工程で押縁を取り付ける工程を示す平面図である。
【図１５】本発明を適用した透光性パネルの押縁が外側突出部で回転する状態を示す拡大平面図である。
【図１６】（ａ）は、本発明を適用した透光性パネルの押縁がテーパ面で摺動する状態を示す拡大平面図であり、（ｂ）は、係合面で互いに係止された状態を示す拡大平面図である。
【図１７】本発明を適用した透光性パネルの取外方法でシール材を切除した状態を示す平面図である。
【図１８】本発明を適用した透光性パネルの取外方法で支持枠からの押縁の内側解除工程を示す拡大平面図である。
【図１９】本発明を適用した透光性パネルの取外方法で支持枠からの押縁の外側解除工程を示す拡大平面図である。
【図２０】本発明を適用した透光性パネルの取外方法の押込治具を示す斜視図である。
【図２１】本発明を適用した透光性パネルの取外方法の下側取外工程を示す側面図である。
【図２２】本発明を適用した透光性パネルの取外方法の上側取外工程を示す側面図である。
【図２３】本発明を適用した透光性パネルの押縁に回転力及び押圧力が作用した状態を示す拡大平面図である。
【発明を実施するための形態】
【００２７】
以下、本発明を適用した透光性パネル１の取付方法、透光性パネル１の取外方法及び透光性パネル１を実施するための形態について、図面を参照しながら詳細に説明する。
【００２８】
本発明を適用した透光性パネル１は、図１に示すように、高速道路等の道路側又は鉄道等の軌道側において路側となる正面側Ａと、高速道路等の側方の民地側となる背面側Ｂとを、奥行方向Ｚで隔てるようにして、高速道路等の道路や鉄道等軌道の境界に設置される。
【００２９】
本発明を適用した透光性パネル１は、Ｈ形鋼等で構成される支柱８１の溝に、その両側部が落とし込まれる。支柱８１は、道路又は鉄道等軌道に沿って間隔を空けて、複数隣り合わせて立設される。本発明を適用した透光性パネル１は、必要に応じて、幅方向Ｘ及び高さ方向Ｙに複数並べられて、支柱８１の溝に嵌合配置されることで、複数段に透光性パネル１が積まれて、透光性遮音壁８０が形成されるものとなる。
【００３０】
本発明を適用した透光性パネル１は、図２に示すように、高さ方向Ｙの上端に配置される上横枠２と、高さ方向Ｙの下端に配置される下横枠３と、高さ方向Ｙに一対とした上横枠２及び下横枠３に正面側Ａから取り付けられる透光板５とを備える。
【００３１】
本発明を適用した透光性パネル１は、幅方向Ｘの左端に配置される左縦枠４１と、幅方向Ｘの右端に配置される右縦枠４２と、幅方向Ｘに一対とした左縦枠４１及び右縦枠４２に透光板５を固定するための押縁６とを備える。
【００３２】
本発明を適用した透光性パネル１は、幅方向Ｘに延びる上横枠２と下横枠３とが、高さ方向Ｙで互いに離間して、互いに略平行に設けられる。本発明を適用した透光性パネル１は、高さ方向Ｙに延びる一対の支持枠４として、左縦枠４１と右縦枠４２とが、幅方向Ｘで互いに離間して、互いに略平行に設けられる。
【００３３】
本発明を適用した透光性パネル１は、図３に示すように、上横枠２及び下横枠３の幅方向Ｘの両端に、左縦枠４１及び右縦枠４２の各々が取り付けられて、略矩形状等に組み立てられて形成される。また、本発明を適用した透光性パネル１は、幅方向Ｘ及び高さ方向Ｙで透光板５が平面状に延びて略矩形状等に形成される。
【００３４】
本発明を適用した透光性パネル１は、略矩形状に形成された透光板５の上端部５ａ、下端部５ｂ、左端部５ｃ及び右端部５ｄの各々が、上横枠２、下横枠３、左縦枠４１及び右縦枠４２の各々に固定される。
【００３５】
本発明を適用した透光性パネル１は、図４に示すように、下方に向けて開口する上溝２０が、上横枠２に形成されるとともに、上方に向けて開口する下溝３０が、下横枠３に形成される。本発明を適用した透光性パネル１は、上横枠２の上溝２０と下横枠３の下溝３０とが、高さ方向Ｙで互いに離間して、互いに対向させて配置される。
【００３６】
本発明を適用した透光性パネル１は、図５に示すように、その両側部が支柱８１の溝に嵌合配置されて、支柱８１のフランジと左縦枠４１及び右縦枠４２との間に、バネ鋼等の固定部材（固定金具８２）が設けられることで、支柱８１のフランジに透光性パネル１を密着させて固定して、支柱８１と透光性パネル１との隙間を無くして音漏れを防止するとともに、ガタ防止された状態で設置される。
【００３７】
透光板５は、透光性を有する略平板状に形成された板材が用いられて、ポリカーボネート、アクリル又はガラス等を材質とする。透光板５は、例えば、正面側Ａ及び背面側Ｂで単層又は合わせガラス等が用いられて、４ｍｍ〜１５ｍｍ程度の板厚寸法ｔとなる。
【００３８】
上横枠２は、図６に示すように、上溝２０の背面側Ｂの側面２０ｄと透光板５の上端部５ａとの間に、緩衝材５１が設けられるとともに、上溝２０の正面側Ａの側面２０ｃと透光板５の上端部５ａとの間に、シール材５２が設けられる。上横枠２は、これに限らず、シール材５２の代わりに緩衝材５１が、上溝２０の正面側Ａの側面２０ｃに設けられてもよい。
【００３９】
緩衝材５１は、例えば、クロロプレンゴム、ＥＰＤＭ等を材質としたガスケット材が用いられる。緩衝材５１は、上溝２０の背面側Ｂの側面２０ｄに形成された嵌合溝２０ｅに嵌め込まれて、奥行方向Ｚの背面側Ｂから透光板５の上端部５ａに当接される。また、緩衝材５１は、上溝２０の背面側Ｂの側面２０ｄに沿って、幅方向Ｘで連続的又は断続的に延びて設けられる。
【００４０】
シール材５２は、例えば、シリコン等を材質としたコーキング材が用いられる。シール材５２は、上溝２０の正面側Ａの側面２０ｃと透光板５とが奥行方向Ｚで互いに離間して形成された間隙Ｓに充填されて、奥行方向Ｚの正面側Ａから透光板５の上端部５ａに接着される。また、シール材５２は、幅方向Ｘで連続的又は断続的に、上溝２０の正面側Ａの側面２０ｃに沿って充填される。
【００４１】
上横枠２は、上溝２０の開口面２０ａから底面２０ｂまで、高さ方向Ｙに所定の溝深さｄ１で上溝２０が形成される。上横枠２は、透光板５の上端部５ａが上溝２０に挿入されて、上溝２０の底面２０ｂと透光板５の上端面５０ａとを、高さ方向Ｙに所定の離間距離Ｌ１で互いに離間させたものとなる。
【００４２】
上横枠２は、上溝２０の正面側Ａの側面２０ｃから、奥行方向Ｚの正面側Ａに向けて、所定の正面側突出長Ｄ１で突出させて形成されて、また、上溝２０の背面側Ｂの側面２０ｄから、奥行方向Ｚの背面側Ｂに向けて、所定の背面側突出長Ｄ２で突出させて形成される。上横枠２は、奥行方向Ｚの正面側Ａに突出する正面側突出長Ｄ１を、奥行方向Ｚの背面側Ｂに突出する背面側突出長Ｄ２より小さくしたものとなる。
【００４３】
下横枠３は、図７に示すように、下溝３０の背面側Ｂの側面３０ｄと透光板５の下端部５ｂとの間に、緩衝材５１が設けられるとともに、下溝３０の正面側Ａの側面３０ｃと透光板５の下端部５ｂとの間に、シール材５２が設けられる。下横枠３は、これに限らず、シール材５２の代わりに緩衝材５１が、下溝３０の正面側Ａの側面３０ｃに設けられてもよい。
【００４４】
緩衝材５１は、下溝３０の背面側Ｂの側面３０ｄに形成された嵌合溝３０ｅに嵌め込まれて、奥行方向Ｚの背面側Ｂから透光板５の下端部５ｂに当接される。また、緩衝材５１は、下溝３０の背面側Ｂの側面３０ｄに沿って、幅方向Ｘで連続的又は断続的に延びて設けられる。
【００４５】
シール材５２は、下溝３０の正面側Ａの側面３０ｃと透光板５とが奥行方向Ｚで互いに離間して形成された間隙Ｓに充填されて、奥行方向Ｚの正面側Ａから透光板５の下端部５ｂに接着される。また、シール材５２は、幅方向Ｘで連続的又は断続的に、下溝３０の正面側Ａの側面３０ｃに沿って充填される。
【００４６】
下横枠３は、下溝３０の底面３０ｂに緩衝ブロック３１が設けられるとともに、下溝３０の開口面３０ａから緩衝ブロック３１の上面３１ａまで、高さ方向Ｙに所定の溝深さｄ２で下溝３０が形成される。下横枠３は、透光板５の下端部５ｂが下溝３０に挿入されることで、緩衝ブロック３１の上面３１ａに透光板５の下端面５０ｂが当接されるものとなる。
【００４７】
緩衝ブロック３１は、例えば、略直方体形状に形成されて、クロロプレンゴム、ＥＰＤＭ等を材質としたゴムブロックが用いられる。緩衝ブロック３１は、下溝３０の開口面３０ａより上方に向けて突出させることなく、幅方向Ｘで連続的又は断続的に、下溝３０の底面３０ｂに沿って設置される。
【００４８】
下横枠３は、下溝３０の正面側Ａの側面３０ｃから、奥行方向Ｚの正面側Ａに向けて、所定の正面側突出長Ｄ１で突出させて形成されて、また、下溝３０の背面側Ｂの側面３０ｄから、奥行方向Ｚの背面側Ｂに向けて、所定の背面側突出長Ｄ２で突出させて形成される。下横枠３は、奥行方向Ｚの正面側Ａに突出する正面側突出長Ｄ１を、奥行方向Ｚの背面側Ｂに突出する背面側突出長Ｄ２より小さくしたものとなる。
【００４９】
上横枠２及び下横枠３は、図６、図７に示すように、下横枠３の下溝３０に設けられた緩衝ブロック３１までの下溝３０の溝深さｄ２より、上溝２０の溝深さｄ１を大きくして上横枠２が形成される。このとき、上横枠２及び下横枠３は、上溝２０の底面２０ｂと透光板５の上端面５０ａとの離間距離Ｌ１が、下溝３０の溝深さｄ２以上となるとともに、上溝２０の溝深さｄ１より小さくなり、透光板５の上端部５ａを上溝２０に挿入したときに、高さ方向Ｙで所定の挿入長Ｌ２を確保したものとなる。上横枠２及び下横枠３は、図１２、図１３に示すように、透光板５の長さＬ４よりも、上横枠２から下横枠３までの距離Ｌ３と上溝２０の溝深さｄ１とを併せた長さ（Ｌ３＋ｄ１）を長くすることで、透光板５の回転移動が可能な構成となる。また、上横枠２及び下横枠３は、透光板５の長さＬ４が、上横枠２から下横枠３までの距離Ｌ３よりも長くなることで、透光板５が上横枠２及び下横枠３に支持される構成となる。
【００５０】
押縁６は、例えば、押出成形されるものであり、アルミニウム等を材質とする。押縁６は、図５に示すように、透光板５より正面側Ａに取り付けられて、透光板５より背面側Ｂに背面側支承壁４３が設けられる支持枠４に、透光板５を固定するものとなる。
【００５１】
押縁６は、透光板５の左端部５ｃ及び右端部５ｄの何れか一方又は両方が、左縦枠４１及び右縦枠４２の何れか一方又は両方の支持枠４に取り付けられるものであり、例えば、透光板５の左端部５ｃ及び右端部５ｄの両方が、左縦枠４１及び右縦枠４２の両方に押縁６で取り付けられるものとなる。
【００５２】
押縁６は、これに限らず、左縦枠４１と右縦枠４２との間で、図８に示すように、幅方向Ｘの中間に中縦枠４７が配置されるときに、透光板５の左端部５ｃ及び右端部５ｄの何れか一方のみが、左縦枠４１又は右縦枠４２の何れか一方のみに取り付けられるものとされてもよい。このとき、透光板５の左端部５ｃ及び右端部５ｄの何れか他方は、押縁６を設けることなく、中縦枠４７に挿入することのみで取り付けられてもよい。
【００５３】
押縁６は、図９に示すように、路側に配置されて高さ方向Ｙに延びる外側フランジ６１と、透光板５側に配置されて高さ方向Ｙに延びる内側フランジ６２とを有する。押縁６は、外側フランジ６１と内側フランジ６２とが、押縁６の幅方向Ｘの基端部６ａで互いに連結される。
【００５４】
押縁６は、外側フランジ６１と内側フランジ６２とが、押縁６の幅方向Ｘの中間部６ｂで、高さ方向Ｙに延びるウェブ６３により互いに連結される。押縁６は、外側フランジ６１、内側フランジ６２及びウェブ６３で取り囲まれて、略中空状のボックス部６４が形成される。
【００５５】
押縁６は、奥行方向Ｚで外側フランジ６１に略直交させてウェブ６３が設けられるが、外側フランジ６１と内側フランジ６２とが、奥行方向Ｚで斜めに延びるウェブ６３で連結されてもよい。押縁６は、ウェブ６３が斜めに延びることで、外側フランジ６１と内側フランジ６２との接続部が塑性変形しやすいものとなる。押縁６は、これに限らず、外側フランジ６１と内側フランジ６２とが、押縁６の基端部６ａで互いに連結されるものとしながら、押縁６の中間部６ｂにウェブ６３が設けられないものとして、略中空状のボックス部６４が形成されないものとなってもよい。
【００５６】
押縁６は、押縁６の幅方向Ｘの側端部６ｃで、外側フランジ６１と内側フランジ６２とが、奥行方向Ｚで互いに離間することで、外側フランジ６１と内側フランジ６２との間で、幅方向Ｘの側方に向けて開口する開口部６０が形成されるものとなる。
【００５７】
押縁６は、外側フランジ６１の幅方向Ｘの側端に、外側突出部６５が形成されるとともに、内側フランジ６２の幅方向Ｘの側端に、内側突出部６６が形成される。押縁６は、外側突出部６５及び内側突出部６６の各々が、奥行方向Ｚで開口部６０の両側に配置される。
【００５８】
支持枠４は、図１０に示すように、奥行方向Ｚの背面側Ｂで透光板５を支持するための背面側支承壁４３と、透光板５より奥行方向Ｚの正面側Ａで押縁６が取り付けられる係止構造４４とを有して、背面側支承壁４３と押縁６との間に透光板５が挟み込まれるものとなる。
【００５９】
支持枠４は、透光板５より奥行方向Ｚの正面側Ａで押縁６を取り付けるための係止構造４４として、押縁６の外側突出部６５と互いに係止される外側係止部４５と、押縁６の内側突出部６６と互いに係止される内側係止部４６とを有する。
【００６０】
支持枠４は、係止構造４４の外側係止部４５が、押縁６の外側フランジ６１の側端と幅方向Ｘで対応するように配置されるとともに、係止構造４４の内側係止部４６が、押縁６の内側フランジ６２の側端と幅方向Ｘで対応するように配置される。
【００６１】
支持枠４は、押縁６が係止構造４４に取り付けられて、押縁６の内側フランジ６２と背面側支承壁４３とが奥行方向Ｚで互いに離間することで、透光板５の幅方向Ｘの側端が挿入される枠溝部４０が、押縁６の内側フランジ６２と背面側支承壁４３との間に形成される。
【００６２】
透光板５は、幅方向Ｘの側端となる左端部５ｃ又は右端部５ｄで、支持枠４の背面側支承壁４３との間に緩衝材５１が設けられるとともに、押縁６の内側フランジ６２との間にシール材５２が設けられる。透光板５は、これに限らず、シール材５２の代わりに緩衝材５１が、押縁６の内側フランジ６２との間に設けられてもよい。
【００６３】
緩衝材５１は、支持枠４の背面側支承壁４３に形成された溝部４３ａに嵌め込まれて、奥行方向Ｚの背面側Ｂから透光板５の側端に当接される。また、緩衝材５１は、支持枠４の背面側支承壁４３に沿って、高さ方向Ｙで連続的又は断続的に延びて設けられる。
【００６４】
シール材５２は、押縁６の内側フランジ６２と透光板５の側端とが奥行方向Ｚで互いに離間して形成された間隙Ｓに充填されて、奥行方向Ｚの正面側Ａから透光板５の側端に接着される。また、シール材５２は、高さ方向Ｙで連続的又は断続的に、押縁６の内側フランジ６２に沿って充填される。
【００６５】
押縁６は、奥行方向Ｚに移動しないように透光板５の側端を支持枠４に固定するものとなり、透光板５の幅方向Ｘの側端が、支持枠４の背面側支承壁４３と押縁６の内側フランジ６２とに挟み込まれて、透光板５の左端部５ｃ又は右端部５ｄが枠溝部４０に挿入された状態となる。
【００６６】
押縁６は、図１１に示すように、押縁６の外側フランジ６１の外側突出部６５が、奥行方向Ｚの正面側Ａに向けて湾曲させて形成されるとともに、押縁６の内側フランジ６２の内側突出部６６に、奥行方向Ｚの背面側Ｂに向けて突出させて、突出爪６６ａが形成される。
【００６７】
支持枠４は、押縁６の外側突出部６５の湾曲した形状に合わせて、押縁６の外側突出部６５を奥行方向Ｚに係止させる係止溝４５ａが、外側係止部４５に形成される。外側係止部４５は、係止溝４５ａの正面側Ａに第１突起４４ａが設けられるとともに、係止溝４５ａの背面側Ｂに第２突起４４ｂが設けられる。
【００６８】
支持枠４は、正面側Ａに向けて突出する係止爪４６ａが、押縁６の突出爪６６ａに背面側Ｂから係止されるものとして、内側係止部４６に形成される。内側係止部４６は、正面側Ａに向けて突出する係止爪４６ａと、背面側Ｂに向けて突出する突出爪６６ａとが、幅方向Ｘで互いに係止されるものとなり、係止爪４６ａの背面側Ｂに第３突起４４ｃが設けられる。
【００６９】
内側突出部６６及び内側係止部４６は、互いに係止させるときに摺動するものとして、奥行方向Ｚで傾斜させて延びるテーパ面５５が、突出爪６６ａ及び係止爪４６ａの何れか一方又は両方の外側に形成される。また、内側突出部６６及び内側係止部４６は、互いに係止させた後に面状に当接するものとして、奥行方向Ｚで傾斜することなく略直線状に延びる係合面５６が、突出爪６６ａ及び係止爪４６ａの何れか一方又は両方の内側に形成される。
【００７０】
テーパ面５５は、内側突出部６６の突出爪６６ａにおいて、背面側Ｂより正面側Ａが幅方向Ｘで支持枠４側に突出するものとなるように、奥行方向Ｚで傾斜させて延びるとともに、内側係止部４６の係止爪４６ａにおいて、正面側Ａより背面側Ｂが幅方向Ｘで押縁６側に突出するものとなるように、奥行方向Ｚで傾斜させて延びるものとなる。
【００７１】
押縁６は、外側フランジ６１と内側フランジ６２とが、押縁６の幅方向Ｘの中間部６ｂより側端部６ｃで、奥行方向Ｚに離間したものとなるように、内側フランジ６２に傾斜部６２ａが形成される。傾斜部６２ａは、幅方向Ｘで内側フランジ６２の側端に向けて略直線状に、奥行方向Ｚで透光板５側に傾斜して形成される。
【００７２】
本発明を適用した透光性パネル１の取付方法は、図１２、図１３に示すように、上横枠２と下横枠３とに透光板５を取り付けるものである。本発明を適用した透光性パネル１の取付方法は、透光板５の上端部５ａを上横枠２に取り付ける上側取付工程と、透光板５の下端部５ｂを下横枠３に取り付ける下側取付工程とを備える。
【００７３】
上側取付工程では、最初に、図１２（ａ）に示すように、透光板５の上端部５ａより下端部５ｂが、奥行方向Ｚで正面側Ａに突出するものとなるように、透光板５の上端部５ａを背面側Ｂに傾倒させて、透光板５を奥行方向Ｚに傾斜させる。
【００７４】
上側取付工程では、次に、図１２（ｂ）に示すように、透光板５の上端部５ａを背面側Ｂに傾倒させたまま、透光板５の上端部５ａを上横枠２の上溝２０に挿入することで、透光板５の上端部５ａを上横枠２に取り付ける。
【００７５】
このとき、上側取付工程では、透光板５の上端部５ａの背面側Ｂに、上溝２０の背面側Ｂに設けられた緩衝材５１が当接されるとともに、図６、図７に示すように、下横枠３の下溝３０の溝深さｄ２より、上溝２０の溝深さｄ１を大きくした上横枠２に、透光板５の上端部５ａが取り付けられるものとなる。
【００７６】
下側取付工程では、最初に、透光板５の上端部５ａを上溝２０に挿入したまま、透光板５の上端部５ａを回転軸として、透光板５の下端部５ｂを奥行方向Ｚの背面側Ｂに回転移動させることで、図１３（ａ）に示すように、透光板５の下端部５ｂを下溝３０の上方に移動させる。
【００７７】
下側取付工程では、次に、図１３（ｂ）に示すように、高さ方向Ｙの上方から下方に向けて、透光板５の下端部５ｂを下横枠３の下溝３０に落とし込み、透光板５の下端部５ｂを下横枠３の下溝３０に挿入することで、透光板５の下端部５ｂを下横枠３に取り付ける。
【００７８】
このとき、下側取付工程では、透光板５の下端部５ｂの背面側Ｂに、下溝３０の背面側Ｂに設けられた緩衝材５１が当接されるとともに、透光板５の下端部５ｂを下横枠３の下溝３０に落とし込むことで、図７に示すように、透光板５の下端面５０ｂを、緩衝ブロック３１の上面３１ａに当接させるものとなる。
【００７９】
また、下側取付工程では、図６、図７に示すように、上横枠２に形成された上溝２０の底面２０ｂと透光板５の上端面５０ａとの離間距離Ｌ１が、下溝３０の溝深さｄ２以上となることで、透光板５の下端部５ｂを奥行方向Ｚの背面側Ｂに回転移動させるときに、透光板５の下端部５ｂを、下横枠３に接触させずに下溝３０の上方まで移動させることができるものとなる。
【００８０】
また、下側取付工程では、透光板５の下端部５ｂを下横枠３の下溝３０に落とし込んでから、図１４〜図１６に示すように、透光板５の左端部５ｃ及び右端部５ｄの何れか一方又は両方を、左縦枠４１及び右縦枠４２の何れか一方又は両方の支持枠４に、押縁６で取り付ける。
【００８１】
下側取付工程では、図１４に示すように、透光板５の正面側Ａで、押縁６を支持枠４に取り付けるときに、最初に、支持枠４の溝部４３ａに緩衝材５１を嵌め込んで、透光板５を背面側Ｂで緩衝材５１に当接させる。
【００８２】
下側取付工程では、次に、押縁６の外側フランジ６１の外側突出部６５を、支持枠４の外側係止部４５に引っ掛けて、押縁６の外側突出部６５を回転軸として、正面側Ａから背面側Ｂに向けて押縁６を回転させることで、押縁６の内側フランジ６２が奥行方向Ｚで透光板５に接近するとともに、押縁６の内側突出部６６が幅方向Ｘで支持枠４の内側係止部４６に接近する。
【００８３】
このとき、下側取付工程では、図１５（ａ）に示すように、押縁６の湾曲した外側突出部６５が、外側係止部４５の湾曲した係止溝４５ａに挿入されて、外側突出部６５を係止溝４５ａに沿って移動させる。下側取付工程では、押縁６の外側突出部６５を回転軸として、正面側Ａから背面側Ｂに向けて押縁６を回転させることで、図１５（ｂ）に示すように、押縁６の外側突出部６５を、支持枠４の外側係止部４５に係止させるものとなる。
【００８４】
下側取付工程では、次に、図１６に示すように、押縁６の内側突出部６６を支持枠４の内側係止部４６に幅方向Ｘで接近させて、突出爪６６ａのテーパ面５５と係止爪４６ａのテーパ面５５とを互いに対向させて当接させながら、内側突出部６６を内側係止部４６に係止させる。
【００８５】
このとき、下側取付工程では、図１６（ａ）に示すように、突出爪６６ａのテーパ面５５が係止爪４６ａのテーパ面５５で摺動するものとなり、押縁６の内側フランジ６２が正面側Ａに傾斜して弾性変形することで、図１６（ｂ）に示すように、突出爪６６ａと係止爪４６ａとが幅方向Ｘで互いに係止されて、押縁６が支持枠４に正確に取り付けられるものとなる。
【００８６】
また、下側取付工程では、内側突出部６６を内側係止部４６に係止させた後に、面状に当接するものとして、突出爪６６ａ及び係止爪４６ａの内側に係合面５６が形成されるため、押縁６が支持枠４に正確に取り付けられた状態から、押縁６の内側フランジ６２を正面側Ａに傾斜させて弾性変形等させない限り、押縁６を支持枠４から取り外すことができないものとなる。
【００８７】
下側取付工程では、図１０に示すように、押縁６の内側突出部６６を、支持枠４の内側係止部４６に係止させてから、押縁６を支持枠４に取り付けるためのビスを用いることなく、透光板５と押縁６の内側フランジ６２との間隙Ｓにシール材５２が設けられる。
【００８８】
下側取付工程では、図５に示すように、透光板５の左端部５ｃ及び右端部５ｄを左縦枠４１及び右縦枠４２に取り付けるとともに、図４に示すように、透光板５の上端部５ａ及び下端部５ｂを上横枠２及び下横枠３に取り付けてから、最後に、上溝２０及び下溝３０で、シール材５２が設けられて、透光板５の上端部５ａ及び下端部５ｂの正面側Ａに、シール材５２を接着させる。
【００８９】
なお、下側取付工程では、これに限らず、透光板５の上端部５ａ及び下端部５ｂを上横枠２及び下横枠３に取り付けてから、透光板５の上端部５ａ及び下端部５ｂの正面側Ａに、シール材５２を接着させて、その後に、押縁６が用いられることにより、透光板５の左端部５ｃ及び右端部５ｄを左縦枠４１及び右縦枠４２に取り付けてもよい。
【００９０】
本発明を適用した透光性パネル１の取外方法は、透光板５の上端部５ａ及び下端部５ｂを、上横枠２及び下横枠３から取り外す作業に先立って、図１７〜図１９に示すように、透光板５より正面側Ａで、支持枠４に取り付けられた押縁６を、支持枠４から取り外すものとなる。
【００９１】
本発明を適用した透光性パネル１の取外方法は、図１７に示すように、最初に、透光板５の正面側Ａから、押縁６の内側フランジ６２及び透光板５に接着したシール材５２を切除して、シール材５２が間隙Ｓに設けられていない状態とする。
【００９２】
本発明を適用した透光性パネル１の取外方法は、次に、図１８、図１９に示すように、押縁６の内側フランジ６２の係止状態を解除させる内側解除工程と、押縁６の外側フランジ６１の係止状態を解除させる外側解除工程とを経て、支持枠４から押縁６が取り外される。
【００９３】
内側解除工程では、最初に、図１８に示すように、押縁６の内側フランジ６２と透光板５との間隙Ｓから、枠溝部４０に押込治具７を挿入して、押込治具７の先端部７ａで内側フランジ６２を奥行方向Ｚの正面側Ａに向けて押し込んで、内側フランジ６２を奥行方向Ｚの正面側Ａに弾性変形又は塑性変形させる。
【００９４】
内側解除工程では、次に、押縁６の内側フランジ６２を奥行方向Ｚの正面側Ａに変形させて、突出爪６６ａと係止爪４６ａとの係止状態を解除させることで、押縁６の内側突出部６６と支持枠４の内側係止部４６との係止状態を解除するものとなる。
【００９５】
内側解除工程では、特に、押縁６の内側フランジ６２の側端に向けて透光板５側に傾斜する傾斜部６２ａが形成されるため、押込治具７で内側フランジ６２を正面側Ａに押し込みやすくして、押込治具７で内側フランジ６２を容易に破壊等させることができるものとなる。
【００９６】
なお、押込治具７は、例えば、図２０に示すように、高さ方向Ｙに延びるステンレスや鋼等を材質とする板材が、奥行方向Ｚの正面側Ａから背面側Ｂに向けて屈曲させて形成されるとともに、幅方向Ｘの先端部７ａが、奥行方向Ｚの正面側Ａに向けて突出するように形成される。押込治具７は、これに限らず、鋏状の治具が用いられてもよく、また、幅方向Ｘの先端部７ａが正面側Ａに突出させて形成されなくてもよい。
【００９７】
外側解除工程では、最初に、図１９に示すように、押縁６の内側フランジ６２を正面側Ａに移動させて、押縁６の湾曲した外側突出部６５を、外側係止部４５の湾曲した係止溝４５ａに沿って移動させることで、押縁６の外側突出部６５を回転軸として、押縁６が正面側Ａに回転移動するものとなる。
【００９８】
外側解除工程では、次に、押縁６の外側突出部６５を回転軸として、押縁６を奥行方向Ｚの正面側Ａに回転させることで、外側フランジ６１の側端に形成された外側突出部６５と、外側突出部６５に係止された支持枠４の外側係止部４５との係止状態を解除して、押縁６を支持枠４から取り外して正面側Ａに撤去する。
【００９９】
本発明を適用した透光性パネル１の取外方法は、図２１、図２２に示すように、上横枠２と下横枠３とから透光板５を取り外すものである。本発明を適用した透光性パネル１の取外方法は、透光板５の下端部５ｂを下横枠３から取り外す下側取外工程と、透光板５の上端部５ａを上横枠２から取り外す上側取外工程とを備える。
【０１００】
下側取外工程では、最初に、図２１（ａ）に示すように、上横枠２の上溝２０で透光板５の上端部５ａの正面側Ａに接着されたシール材５２を切除するとともに、下横枠３の下溝３０で透光板５の下端部５ｂの正面側Ａに接着されたシール材５２を切除する。
【０１０１】
下側取外工程では、次に、図２１（ｂ）に示すように、透光板５の上端部５ａを上溝２０に挿入したまま、透光板５を上方に持ち上げて、下横枠３の下溝３０から透光板５の下端部５ｂが引き抜かれるものとなる。
【０１０２】
下側取外工程では、次に、透光板５の上端部５ａを上溝２０に挿入したまま、奥行方向Ｚの正面側Ａに透光板５の下端部５ｂを移動させることで、下溝３０の上方から透光板５の下端部５ｂを正面側Ａに移動させて、透光板５の下端部５ｂを下横枠３から取り外す。
【０１０３】
上側取外工程では、最初に、図２２（ａ）に示すように、透光板５の上端部５ａを上溝２０に挿入したまま、透光板５の上端部５ａを回転軸として、透光板５の下端部５ｂを奥行方向Ｚの正面側Ａに回転移動させる。
【０１０４】
このとき、上側取外工程では、透光板５の上端部５ａを上溝２０に挿入したまま、透光板５の上端部５ａより下端部５ｂが、奥行方向Ｚで正面側Ａに突出するものとなるように、透光板５の下端部５ｂを正面側Ａに傾倒させて、透光板５を奥行方向Ｚに傾斜させたものとなる。
【０１０５】
また、上側取外工程では、図６、図７に示すように、上横枠２に形成された上溝２０の底面２０ｂと透光板５の上端面５０ａとの離間距離Ｌ１が、下溝３０の溝深さｄ２以上となることで、透光板５の下端部５ｂを奥行方向Ｚの正面側Ａに回転移動させるときに、透光板５の下端部５ｂを、下横枠３に接触させずに正面側Ａに傾倒させることができるものとなる。
【０１０６】
上側取外工程では、最後に、図２２（ｂ）に示すように、透光板５の下端部５ｂを正面側Ａに傾倒させて、透光板５を奥行方向Ｚに傾斜させながら、透光板５の上端部５ａを上横枠２の上溝２０から引き抜くことで、透光板５の上端部５ａを上横枠２から取り外す。
【０１０７】
透光性遮音壁８０は、図１に示すように、道路からの飛び石等により、路面に近接した下段の透光板５の破損する確率が高い。従来のパネルにおいては、複数段のパネルが高さ方向Ｙに積まれて設置されているため、支柱８１から上段のパネルを全て引き抜いてから、パネルごと交換することが必要となる。これに対して、本発明を適用した透光性パネル１は、パネルごと交換することを必要としないで、また、ビスの取付取外作業も必要なく、破損した透光板５のみを容易に交換することが可能となる。
【０１０８】
本発明を適用した透光性パネル１は、図６、図７に示すように、透光板５の上端部５ａ及び下端部５ｂに、奥行方向Ｚの背面側Ｂから緩衝材５１が当接されることで、透光板５の背面側Ｂでの緩衝材５１の切除作業を必要としないものとしながら、上横枠２及び下横枠３において、正面側突出長Ｄ１が背面側突出長Ｄ２より小さくされることで、透光板５の正面側Ａで上溝２０及び下溝３０にカッター等を挿入しやすくして、透光板５の正面側Ａでのシール材５２の切除作業を容易に実施することが可能となる。
【０１０９】
本発明を適用した透光性パネル１は、図２１、図２２に示すように、透光板５の正面側Ａでのシール材５２の切除作業を容易に実施しながら、透光板５の上端部５ａを上横枠２から取り外すときに、透光板５の上端部５ａを上溝２０に挿入したまま、透光板５の上端部５ａを回転軸として、奥行方向Ｚの正面側Ａのみに透光板５の下端部５ｂが回転移動するため、透光板５の上端部５ａより下端部５ｂが、奥行方向Ｚで正面側Ａのみに突出するものとなり、部分的に破損した透光板５の交換作業を実施するときに、部分的に破損した透光板５の破片等を、上横枠２及び下横枠３より民地側となる背面側Ｂに落下させずに、交換作業を実施する正面側Ａのみに落下させるものとして、透光板５の交換作業を安全に実施することが可能となる。
【０１１０】
本発明を適用した透光性パネル１は、上横枠２に上溝２０が形成されるとともに、下横枠３に下溝３０が形成されて、上横枠２及び下横枠３の各々に押縁６等を用いることなく、透光板５の上端部５ａ及び下端部５ｂを固定することができるため、上横枠２及び下横枠３が押縁６等で分離された構造とならず、上横枠２及び下横枠３を一体的な構造とすることができるものとなり、上横枠２及び下横枠３の各々で、部材の剛性を向上させることが可能となる。
【０１１１】
本発明を適用した透光性パネル１は、図２３に示すように、透光板５に対する背面側Ｂからの風等の外力により、奥行方向Ｚの背面側Ｂから正面側Ａに向けた回転力Ｒが、透光板５から押縁６に作用するものとなるが、内側突出部６６が第３突起４４ｃに奥行方向Ｚで係止されるため、支持枠４からの押縁６の離脱を防止することが可能となる。
【０１１２】
本発明を適用した透光性パネル１は、透光板５と内側フランジ６２とにシール材５２が接着されることから、透光板５に対する正面側Ａからの落下した積荷の衝突、風等の外力により、押縁６がシール材５２により背面側Ｂに引っ張られて、奥行方向Ｚの正面側Ａから背面側Ｂに向けた回転力Ｒが、押縁６に作用するものとなるが、外側突出部６５が第１突起４４ａに奥行方向Ｚで係止されるため、支持枠４からの押縁６の離脱を防止することが可能となる。
【０１１３】
本発明を適用した透光性パネル１は、施工、運搬時の衝撃力等により、奥行方向Ｚの正面側Ａから背面側Ｂに向けた押圧力Ｐが、押縁６の外側フランジ６１に正面側Ａから作用するものとなるが、外側突出部６５が第２突起４４ｂに奥行方向Ｚで係止されるため、支持枠４からの押縁６の離脱を防止することが可能となる。
【０１１４】
本発明を適用した透光性パネル１は、透光板５と内側フランジ６２とにシール材５２が接着されるため、万が一、内側突出部６６と内側係止部４６との係止が解除された場合であっても、押縁６が脱落しないものとなり、透光板５の外れを防止することが可能となる。
【０１１５】
本発明を適用した透光性パネル１は、図１５、図１６に示すように、押縁６を支持枠４から容易に取り外すことができないものとすると同時に、図１８、図１９に示すように、押込治具７等で人為的に内側フランジ６２を破壊等することにより、ビスの取外作業を必要とすることなく、押縁６を支持枠４から人為的な作業で容易に取り外すことができる。
【０１１６】
本発明を適用した透光性パネル１は、外側フランジ６１又は内側フランジ６２が、落下した積荷の衝突、風等の外力、又は、施工、運搬時の衝撃力等の押圧力Ｐにより容易に離脱しないものとしながら、押込治具７等での人為的な作業によってのみ、透光板５の交換容易性を向上させることができるため、支持枠４からの押縁６の想定外の脱落を防止して、透光性パネル１が境界に設置された高速道路等の通行の安全性を向上させると同時に、透光板５が部分的に破損した場合等に、透光板５の交換作業を容易に実施して、高速道路等の長時間の通行規制を回避することが可能となる。
【０１１７】
本発明を適用した透光性パネル１の取付方法は、図１２、図１３に示すように、透光板５の上端部５ａを上横枠２の上溝２０に挿入することで、透光板５の上端部５ａが上横枠２に取り付けられるとともに、透光板５の下端部５ｂを下横枠３の下溝３０に落とし込むことで、透光板５の下端部５ｂが下横枠３に取り付けられるため、透光板５の上端部５ａ及び下端部５ｂを、上横枠２及び下横枠３に固定するためのビスを用いることなく、透光板５の取付作業を容易に実施することが可能となる。
【０１１８】
本発明を適用した透光性パネル１の取付方法は、図１０に示すように、外側突出部６５と外側係止部４５とが互いに係止されるとともに、内側突出部６６と内側係止部４６とが互いに係止されることで、押縁６を支持枠４に固定するためのビスを用いることなく、透光板５の左端部５ｃ及び右端部５ｄが、左縦枠４１及び右縦枠４２の支持枠４に取り付けられるものとなり、押縁６の組付作業時にビスの締込作業を必要としないものとして、透光板５の取付作業を容易に実施することが可能となる。
【０１１９】
本発明を適用した透光性パネル１の取付方法は、特に、図１１に示すように、突出爪６６ａと係止爪４６ａとが幅方向Ｘで互いに係止されて、押縁６が支持枠４に正確に取り付けられることから、押縁６を暫定的に取り付けることができないものとなり、押縁６の組付精度を向上させることが可能となるとともに、押縁６の支持枠４からの脱落を防止して、透光板５の外れを防止することが可能となる。
【０１２０】
本発明を適用した透光性パネル１の取付方法は、透光板５の上端部５ａ及び下端部５ｂが、ビスを用いることなく、上横枠２及び下横枠３に固定されるとともに、透光板５の左端部５ｃ及び右端部５ｄが、ビスを用いることなく、左縦枠４１及び右縦枠４２に固定されることで、上横枠２、下横枠３、左縦枠４１及び右縦枠４２に、透光板５を取り付けるための全ての箇所で、ビスが用いられないものとなり、透光板５の取付作業時にビスの締込作業を必要としないものとして、透光性パネル１の製造効率を向上させることが可能となる。
【０１２１】
本発明を適用した透光性パネル１の取付方法は、特に、左縦枠４１と右縦枠４２との間で、図８に示すように、中縦枠４７が配置されることで、透光板５の左端部５ｃ及び右端部５ｄの何れか一方のみが、左縦枠４１又は右縦枠４２に取り付けられて、透光板５の左端部５ｃ及び右端部５ｄの何れか他方が、押縁６を設けることなく中縦枠４７に取り付けられるものとなり、支持枠４への押縁６の取付箇所をも半減させることで、透光性パネル１の製造効率を一段と向上させることが可能となる。
【０１２２】
本発明を適用した透光性パネル１の取付方法は、図３に示すように、透光板５を取り付けるための全ての箇所において、上横枠２、下横枠３、左縦枠４１及び右縦枠４２に、ビスが用いられないものとなるため、ビスが露出して設けられないものとなり、透光性パネル１の外観を良好なものとすると同時に、露出したビスの腐食等による脱落を防止して、透光板５の外れを防止することが可能となる。
【０１２３】
本発明を適用した透光性パネル１の取付方法は、図６、図７に示すように、下横枠３の下溝３０に設けられた緩衝ブロック３１までの下溝３０の溝深さｄ２より、上溝２０の溝深さｄ１を大きくして上横枠２が形成されることで、透光板５の下端部５ｂを下溝３０に挿入したまま、透光板５の上端部５ａで所定の挿入長Ｌ２を確保したものとなり、透光板５の上端部５ａ及び下端部５ｂを上横枠２及び下横枠３に確実に固定すると同時に、透光板５の下端面５０ｂを緩衝ブロック３１に当接させて、透光板５の下端部５ｂを下溝３０に落とし込むときの衝撃を緩衝ブロック３１に吸収させることで、透光板５の破損等を防止することが可能となる。
【０１２４】
本発明を適用した透光性パネル１の取付方法は、透光板５の上端部５ａ及び下端部５ｂに、背面側Ｂから緩衝材５１が当接されるため、透光板５に対する背面側Ｂからのシール材５２の接着作業を必要としないものとしながら、正面側Ａからシール材５２が透光板５に接着されるため、透光板５の正面側Ａのみでシール材５２の接着作業を実施することができるものとして、透光板５の取付作業を路側となる正面側Ａのみから容易に実施することが可能となる。
【０１２５】
本発明を適用した透光性パネル１の取外方法は、図２１、図２２に示すように、透光板５を持ち上げることで、透光板５の下端部５ｂが下横枠３から取り外されるとともに、透光板５の上端部５ａを上横枠２の上溝２０から引き抜くことで、透光板５の上端部５ａが上横枠２から取り外されるため、透光板５の上端部５ａ及び下端部５ｂでのビスの取外作業を必要としないものとなり、透光板５の取外作業を容易に実施することが可能となる。
【０１２６】
本発明を適用した透光性パネル１の取外方法は、特に、図６、図７に示すように、上横枠２及び下横枠３において、正面側突出長Ｄ１を背面側突出長Ｄ２より小さくしたものとなるため、透光板５の正面側Ａで上溝２０及び下溝３０にカッター等を挿入しやすくして、透光板５の正面側Ａでのシール材５２の切除作業を容易に実施することが可能となる。
【０１２７】
本発明を適用した透光性パネル１の取外方法は、図２１、図２２に示すように、透光板５の正面側Ａでのシール材５２の切除作業を容易に実施しながら、透光板５の上端部５ａを上溝２０に挿入したまま、奥行方向Ｚの正面側Ａのみに透光板５の下端部５ｂが回転移動するため、透光板５の上端部５ａより下端部５ｂが、奥行方向Ｚで正面側Ａのみに突出するものとなり、部分的に破損した透光板５の交換作業を実施するときに、部分的に破損した透光板５の破片等を、上横枠２及び下横枠３より民地側となる背面側Ｂに落下させずに、交換作業を実施する正面側Ａのみに落下させるものとすることで、透光板５の交換作業を安全に実施することが可能となる。
【０１２８】
本発明を適用した透光性パネル１の取付方法及び取外方法は、例えば、透光板５に吸盤等の治具を取り付けて、透光板５を落とし込む作業、透光板５を持ち上げる作業、又は、透光板５を奥行方向Ｚに傾斜させる作業等を実施するものとなるが、これに限らず、図３に示すように、透光板５の上端部５ａ、下端部５ｂ、左端部５ｃ及び右端部５ｄと、上横枠２、下横枠３、左縦枠４１及び右縦枠４２との間に、作業員の手を挿入して、透光板５を持ち上げる作業等を実施するものとしてもよい。
【０１２９】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【０１３０】
１      ：透光性パネル
２      ：上横枠
２０    ：上溝
３      ：下横枠
３０    ：下溝
３１    ：緩衝ブロック
３１ａ  ：上面
４      ：支持枠
４０    ：枠溝部
４１    ：左縦枠
４２    ：右縦枠
４３    ：背面側支承壁
４３ａ  ：溝部
４４    ：係止構造
４４ａ  ：第１突起
４４ｂ  ：第２突起
４４ｃ  ：第３突起
４５    ：外側係止部
４５ａ  ：係止溝
４６    ：内側係止部
４６ａ  ：係止爪
４７    ：中縦枠
５      ：透光板
５ａ    ：上端部
５ｂ    ：下端部
５ｃ    ：左端部
５ｄ    ：右端部
５０ａ  ：上端面
５０ｂ  ：下端面
５１    ：緩衝材
５２    ：シール材
５５    ：テーパ面
５６    ：係合面
６      ：押縁
６ａ    ：基端部
６ｂ    ：中間部
６ｃ    ：側端部
６０    ：開口部
６１    ：外側フランジ
６２    ：内側フランジ
６２ａ  ：傾斜部
６３    ：ウェブ
６４    ：ボックス部
６５    ：外側突出部
６６    ：内側突出部
６６ａ  ：突出爪
７      ：押込治具
７ａ    ：先端部
８０    ：透光性遮音壁
８１    ：支柱
８２    ：固定金具
Ａ      ：正面側
Ｂ      ：背面側
Ｘ      ：幅方向
Ｙ      ：高さ方向
Ｚ      ：奥行方向
【図１】
0006426040.tif 000002
【図２】
0006426040.tif 000003
【図３】
0006426040.tif 000004
【図４】
0006426040.tif 000005
【図５】
0006426040.tif 000006
【図６】
0006426040.tif 000007
【図７】
0006426040.tif 000008
【図８】
0006426040.tif 000009
【図９】
0006426040.tif 000010
【図１０】
0006426040.tif 000011
【図１１】
0006426040.tif 000012
【図１２】
0006426040.tif 000013
【図１３】
0006426040.tif 000014
【図１４】
0006426040.tif 000015
【図１５】
0006426040.tif 000016
【図１６】
0006426040.tif 000017
【図１７】
0006426040.tif 000018
【図１８】
0006426040.tif 000019
【図１９】
0006426040.tif 000020
【図２０】
0006426040.tif 000021
【図２１】
0006426040.tif 000022
【図２２】
0006426040.tif 000023
【図２３】
0006426040.tif 000024